(57)【要約】【課題】真贋の判定が容易であり、且つ、偽造が困難である個人情報表示体を提供する。【解決手段】所有者の個人情報を表示する個人情報表示体１０は、積層された複数のコア層２１〜２９を有するコア積層体２０と、コア積層体に積層され、個人情報を含む所定の情報を表示する表示層３０，３１と、を備える。各コア層の端面は、所定の情報に基づいて、予め定められた色決定アルゴリズムに従って決定された色に着色されている。複数のコア層の端面からなる領域は、複数の色に着色されている。【選択図】図２
2014008731.tif 000002
【特許請求の範囲】
【請求項１】
所有者の個人情報を表示する個人情報表示体であって、
積層された複数のコア層を有するコア積層体と、
前記コア積層体に積層され、前記個人情報を含む所定の情報を表示する表示層と、を備え、
前記各コア層の端面は、前記所定の情報に基づいて、予め定められた色決定アルゴリズムに従って決定された色に着色されており、
前記複数のコア層の端面からなる領域は、複数の色に着色されている
ことを特徴とする個人情報表示体。
【請求項２】
前記各コア層の端面は、前記個人情報に基づいて、前記色決定アルゴリズムに従って決定された色に着色されていることを特徴とする請求項１に記載の個人情報表示体。
【請求項３】
前記複数のコア層の端面の色の配列は、前記所有者毎に異なっていることを特徴とする請求項２に記載の個人情報表示体。
【請求項４】
前記所定の情報は、前記個人情報表示体の属性を表す属性情報を含み、
前記各コア層の端面は、前記属性情報に基づいて、前記色決定アルゴリズムに従って決定された色に着色されている
ことを特徴とする請求項１に記載の個人情報表示体。
【請求項５】
前記各コア層の厚さは、２０μｍ以上であることを特徴とする請求項１から請求項４の何れかに記載の個人情報表示体。
【請求項６】
所有者の個人情報を表示する個人情報表示体であって、
積層された複数のコア層を有するコア積層体と、
前記コア積層体に積層され、前記個人情報を含む所定の情報を表示する表示層と、を備え、
前記複数のコア層のうちの少なくとも１つのコア層は、蛍光発光材料を含み、
前記蛍光発光材料を含むコア層の端面の色は、不可視光を照射されたとき、前記蛍光発光材料を含まない他のコア層の端面の色とは異なる色として視認され、
前記蛍光発光材料を含むコア層は、前記所定の情報に基づいて、予め定められたアルゴリズムに従って決定されている
ことを特徴とする個人情報表示体。
【請求項７】
所有者の個人情報を表示する個人情報表示体であって、
積層された複数のコア層を有するコア積層体と、
前記コア積層体に積層され、前記個人情報を含む所定の情報を表示する表示層と、を備え、
前記複数のコア層のうちの少なくとも１つのコア層は、赤外線吸収材料または赤外線反射材料を含み、
前記赤外線吸収材料または前記赤外線反射材料を含むコア層の端面は、赤外線を照射されたとき、前記赤外線を吸収または反射し、
前記赤外線吸収材料または前記赤外線反射材料を含むコア層は、前記所定の情報に基づいて、予め定められたアルゴリズムに従って決定されている
ことを特徴とする個人情報表示体。
【発明の詳細な説明】
【技術分野】
【０００１】
本発明は、個人情報を表示する個人情報表示体に関する。
【背景技術】
【０００２】
所有者の身元や資格等を証明するための媒体として、当該所有者の個人情報を記録した個人情報表示体が広く利用されてきた。個人情報表示体として、パスポート、運転免許証、健康保険証、キャッシュカード、クレジットカード、社員証、会員証等が例示される。例えば特許文献１にも開示されているように、このような個人情報表示体に対しては、その用途に対応して、真贋の判定が容易であることのほか、効果的に偽造を防止し得ることが要望される。このような要望に応えるべく、様々なセキュリティ技術が個人情報表示体の個人情報の表示面に適用されてきているが、偽造防止性は高いほうが好ましい。
【先行技術文献】
【特許文献】
【０００３】
【特許文献１】特開２００６−１０３２２１号公報
【発明の概要】
【発明が解決しようとする課題】
【０００４】
本発明は以上の点を考慮してなされたものであり、真贋の判定が容易であり、且つ、偽造が困難である個人情報表示体を提供することを目的とする。
【課題を解決するための手段】
【０００５】
本発明による個人情報表示体は、
所有者の個人情報を表示する個人情報表示体であって、
積層された複数のコア層を有するコア積層体と、
前記コア積層体に積層され、前記個人情報を含む所定の情報を表示する表示層と、を備え、
前記各コア層の端面は、前記所定の情報に基づいて、予め定められた色決定アルゴリズムに従って決定された色に着色されており、
前記複数のコア層の端面からなる領域は、複数の色に着色されている
ことを特徴とする。
【０００６】
本発明による個人情報表示体において、
前記各コア層の端面は、前記個人情報に基づいて、前記色決定アルゴリズムに従って決定された色に着色されていてもよい。
【０００７】
本発明による個人情報表示体において、
前記複数のコア層の端面の色の配列は、前記所有者毎に異なっていてもよい。
【０００８】
本発明による個人情報表示体において、
前記所定の情報は、前記個人情報表示体の属性を表す属性情報を含み、
前記各コア層の端面は、前記属性情報に基づいて、前記色決定アルゴリズムに従って決定された色に着色されていてもよい。
【０００９】
本発明による個人情報表示体において、
前記属性情報は、発行年、発行場所および仕向地の少なくとも何れかを含んでもよい。
【００１０】
本発明による個人情報表示体において、
前記各コア層の厚さは、２０μｍ以上であってもよい。
【００１１】
本発明による個人情報表示体は、
所有者の個人情報を表示する個人情報表示体であって、
積層された複数のコア層を有するコア積層体と、
前記コア積層体に積層され、前記個人情報を含む所定の情報を表示する表示層と、を備え、
前記複数のコア層のうちの少なくとも１つのコア層は、蛍光発光材料を含み、
前記蛍光発光材料を含むコア層の端面の色は、不可視光を照射されたとき、前記蛍光発光材料を含まない他のコア層の端面の色とは異なる色として視認され、
前記蛍光発光材料を含むコア層は、前記所定の情報に基づいて、予め定められたアルゴリズムに従って決定されている
ことを特徴とする。
【００１２】
本発明による個人情報表示体は、
所有者の個人情報を表示する個人情報表示体であって、
積層された複数のコア層を有するコア積層体と、
前記コア積層体に積層され、前記個人情報を含む所定の情報を表示する表示層と、を備え、
前記複数のコア層のうちの少なくとも１つのコア層は、赤外線吸収材料または赤外線反射材料を含み、
前記赤外線吸収材料または前記赤外線反射材料を含むコア層の端面は、赤外線を照射されたとき、前記赤外線を吸収または反射し、
前記赤外線吸収材料または前記赤外線反射材料を含むコア層は、前記所定の情報に基づいて、予め定められたアルゴリズムに従って決定されている
ことを特徴とする。
【発明の効果】
【００１３】
本発明によれば、真贋の判定が容易であり、且つ、偽造が困難である個人情報表示体を提供できる。
【図面の簡単な説明】
【００１４】
【図１】第１の実施形態に係る個人情報表示体の一例を示す平面図である。
【図２】図１の個人情報表示体の断面図である。
【発明を実施するための形態】
【００１５】
以下、図面を参照して本発明の各実施形態について説明する。なお、本件明細書に添付する図面においては、図示と理解のしやすさの便宜上、適宜縮尺および縦横の寸法比等を、実物のそれらから変更し誇張してある。
【００１６】
（第１の実施形態）
第１の実施形態は、個人情報表示体の各コア層の端面が着色されていることを特徴の１つとする。
【００１７】
図１は、第１の実施形態に係る個人情報表示体１０の一例を示す平面図である。図１に示すように、個人情報表示体１０は、所有者の個人情報を表示する媒体、即ち個人情報が記録された媒体である。個人情報表示体１０の具体的な用途として、パスポート、運転免許証、健康保険証、キャッシュカード、クレジットカード、社員証、会員証等を例示することができる。ここで個人情報表示体１０に記録される個人情報とは、個人に関する情報のことであり、典型的には当該個人情報表示体１０を付与された特定人に関連した情報のことである。この個人情報には、氏名、生年月日、性別等の広く社会一般で用いられる情報に限られることなく、社員番号や会員番号等のような特定の組織との関連において用いられる個人に関連した情報、一定の期間の間だけ個人に割り当てられた情報等も含まれる。したがって、個人情報表示体１０の発行者からすれば、個人情報表示体１０に記録される個人情報とは、各個人に付与される個人情報表示体１０毎に個別に対応しなければならない情報となる。
【００１８】
このような個人情報表示体１０は、一例として、特定人の身元や資格等を証明するために、当該特定人に対して付与される。個人情報表示体１０の発行者は、個人情報表示体１０に表示される情報に基づいて、個人情報表示体１０の所有者を管理することができる。具体例として、ある組織、例えば会社が、当該組織の構成員、例えば当該会社の社員に対して、当該組織に属することを証明するための媒体として個人情報表示体１０、例えば社員証を付与する。当該組織は、個人情報表示体１０によって表示される所有者の個人情報に基づき、敷地内や室内等への入退場の管理、具体的には入退場の制限や入退場の記録や勤怠の管理等を行うことができる。したがって、個人情報表示体１０に対しては、所有者の認証が容易であること、言い換えると個人情報表示体１０の真贋の判定が容易であること、並びに、偽造、改竄が困難であることが要望される。
【００１９】
図１に示された例では、個人情報表示体１０の所有者となるべき特定人の個人情報を表示するための第１〜第３表示要素４１，４２，４３が、個人情報表示体１０に設けられている。図１に示すように、個人情報表示体１０は、カード状に形成されている。
【００２０】
図１に示された例において、第１表示要素４１および第２表示要素４２は、特定人の像として、顔を含む上半身を表示している。第１表示要素４１は第２表示要素４２より小さい。第１表示要素４１は、第２表示要素４２とは材料および作製方法の少なくとも一方が異なる。
【００２１】
一方、第３表示要素４３は、個人情報である氏名、性別、生年月日および識別番号を、文字情報又は数字情報として表示している。図示された例のように、個人情報表示体１０が、所有者の像、とりわけ顔を含む像を表示する場合、所有者の認証、並びに、認証結果に基づいた個人情報表示体１０の真贋判定を容易かつ正確に行うことができる。
【００２２】
図２は、図１の個人情報表示体１０の断面図である。図２に示すように、個人情報表示体１０は、コア積層体２０と、印刷層（表示層）３０，３１と、オーバーシート層３２，３３と、を備える。
【００２３】
コア積層体２０は、カードの芯をなすものであり、積層されたフィルム状のコア層（第１から第９のコア層）２１〜２９を有する。ある１つのコア層の端面は１色に着色されており、コア層２１〜２９の端面２１ａ〜２９ａからなる領域、即ちコア積層体２０の端面は複数の色に着色されている。各コア層２１〜２９は、全体が着色されていてもよく、端面２１ａ〜２９ａのみが着色されていてもよい。
【００２４】
本明細書において「コア層の端面は着色されている」とは、コア層の端面の色が白又は黒を含む所定の色であることを表す。つまり、「コア層の端面は着色されている」とは、コア層の端面の色が、コア層として用いられたもともとの基材の色であることも含む。例えば、もともと白色である基材を、その色を変更することなくそのままコア層として用いた場合も、「コア層の端面は白色に着色されている」ことに含まれる。
【００２５】
各コア層２１〜２９の厚さは、２０μｍ以上であってもよい。このような厚さにすることで、各コア層２１〜２９の端面２１ａ〜２９ａの色を確認し易くできる。コア積層体２０の厚さは、例えば５００〜６００μｍであってもよい。コア層の層数は、例示した９層に限らず、複数層であればよい。コア層２１〜２９についての詳細、特に色の決定方法については、後述する。
【００２６】
印刷層３０，３１は、コア積層体２０の両面に積層され、個人情報を含む所定の情報が印刷されている。印刷層３０，３１は、所定の情報を表示する表示層として機能する。前述した第１から第３表示要素４１，４２，４３は、一方の印刷層３０に印刷されている。つまり、図１は、個人情報表示体１０を印刷層３０側から観察した平面図である。
【００２７】
所定の情報は、個人情報表示体１０の属性を表す属性情報を含んでいてもよい。図示は省略するが、この属性情報は、例えば、個人情報表示体１０の発行年、発行年月、発行場所および仕向地の少なくとも何れかを含んでもよい。
【００２８】
オーバーシート層３２，３３は、印刷層３０，３１の両側に積層され、保護層として機能する。オーバーシート層３２，３３によって、印刷層３０，３１に印刷されたパターンが保護される。オーバーシート層３２，３３は、印刷層３０，３１に印刷された所定の情報を視認可能とするため、無色でも有色でもよいが、透明または半透明となっていることが好ましい。
【００２９】
各コア層２１〜２９、印刷層３０，３１およびオーバーシート層３２，３３は、例えば既知のＩＤカードに用いられる既知の材料を用いて既知の方法にて作製され得る。
【００３０】
次に、コア積層体２０の各コア層２１〜２９について、詳しく説明する。
各コア層２１〜２９の端面２１ａ〜２９ａは、個人情報表示体１０が表示している所定の情報に基づいて、予め定められた色決定アルゴリズムに従って決定された色に着色されている。具体的には、各コア層２１〜２９の端面２１ａ〜２９ａは、個人情報と属性情報の少なくとも何れかに基づいて色決定アルゴリズムに従って決定された色に着色されている。つまり、コア層２１〜２９の端面２１ａ〜２９ａの色の配列は、コード化された情報を表していると言うこともできる。
【００３１】
色決定アルゴリズムとしては、個人情報表示体１０に表示された所定の情報に応じて各コア層２１〜２９の端面２１ａ〜２９ａの色を決定できれば、どのようなものを採用してもよい。個人情報表示体１０の発行者は、個人情報表示体１０の製造に先立ってどのようなアルゴリズムを採用するか決めておき、複数の個人情報表示体を同一のアルゴリズムを用いて製造してもよい。これにより、後述する真贋判定を容易に行うことができる。以下に、色決定アルゴリズムの例を説明する。
【００３２】
（色決定アルゴリズムの例１）
色決定アルゴリズムとして、ある１つのコア層、例えば第１のコア層２１の色を個人情報における性別に応じて第１色または第２色に決定し、他の１つのコア層、例えば第９のコア層２９の色を生年月日に応じて第１色〜第３色の何れかに決定し、これら以外のコア層、例えば第２〜第８のコア層２２〜２８の色を予め定められた第４色に決定するようなアルゴリズムを採用してもよい。つまり、この例１では、各コア層２１〜２９の端面２１ａ〜２９ａの色は、個人情報に基づいて決定されている。
【００３３】
例えば、性別が男性の場合、第１のコア層２１の色を第１色に決定し、性別が女性の場合、第１のコア層２１の色を第２色に決定してもよい。
【００３４】
また、第９のコア層２９の色を、例えば、生年月日が第１の範囲である場合、第１色に決定し、生年月日が第２の範囲である場合、第２色に決定し、生年月日が第３の範囲である場合、第３色に決定してもよい。例示した第１色〜第４色は、互いに異なる色として視認できればどのような色でもよく、前述のように白と黒の少なくとも何れかを含んでもよい。
【００３５】
また、性別及び生年月日に加えて、個人情報に含まれる他の複数の情報も用いて複数のコア層の色を決定してもよい。また、個人情報に含まれる複数の情報の何れか１つのみを用いて、ある１つのコア層の色を決定してもよい。また、性別が男性の場合、ある１つのコア層の色を第１色に決定し、性別が女性の場合、他の１つのコア層の色を第１色または第２色に決定し、これら以外の複数のコア層の色を第３色に決定してもよい。
【００３６】
（色決定アルゴリズムの例２）
色決定アルゴリズムとして、第ｎ（ｎは正の整数）のコア層の色を、生年月日又は識別番号などを表す所定の数字の総和をｎで除算して得られた余りに応じて決定するアルゴリズムを採用してもよい。
【００３７】
図１の例のように、生年月日が２００１年１月１日である場合、生年月日を表す数字の総和は、２＋０＋０＋１＋１＋１＝５である。そこで、第１のコア層２１の色を、５÷１の余り０に応じて第１色に決定し、第２のコア層２２の色を、５÷２の余り１に応じた第２色に決定し、第３のコア層２３の色を、５÷３の余り２に応じた第３色に決定し、他のコア層２４〜２９の色も同様に決定してもよい。つまり、この例２でも、各コア層２１〜２９の端面２１ａ〜２９ａの色は、個人情報に基づいて決定されている。
【００３８】
これらの例１，２のように、各コア層２１〜２９の端面２１ａ〜２９ａの色が個人情報に基づいて決定される場合、個人情報に含まれる複数の情報を用いることなどにより、コア層２１〜２９の端面２１ａ〜２９ａの色の配列は、所有者毎に異なるようにすることもできる。
【００３９】
（色決定アルゴリズムの例３）
色決定アルゴリズムとして、ある１つのコア層、例えば第３のコア層２３の色を、属性情報における個人情報表示体１０の発行年に応じて決定し、他の１つのコア層、例えば第９のコア層２９の色を、個人情報表示体１０の発行場所に応じて決定し、これら以外の複数のコア層、例えば第１，第２および第４〜第８のコア層２１，２２，２４〜２８の色を予め定められた色に決定するアルゴリズムを採用してもよい。つまり、この例３では、各コア層２１〜２９の端面２１ａ〜２９ａの色は、属性情報に基づいて決定されている。
【００４０】
また、例１と同様に、発行年及び発行場所に加えて、属性情報に含まれる他の複数の情報も用いて複数のコア層の色を決定してもよい。また、属性情報に含まれる複数の情報の何れか１つのみを用いて、ある１つのコア層の色を決定してもよい。
【００４１】
このようにして決定された色で予め着色されたコア層２１〜２９は、例えば、接着剤により互いに接着されてもよく、積層した状態で加熱すると共に圧力を加えて互いに接合されてもよい。
【００４２】
このような個人情報表示体１０では、まず、第２表示要素４２によって表示される明瞭性に優れた像に基づいて、個人情報表示体１０の所持者の認証やこの個人情報表示体１０の真贋判定をより容易且つより正確に行うことができる。
【００４３】
また、第１表示要素４１が表示する個人情報と第２表示要素４２が表示する個人情報との比較により、個人情報表示体１０の真贋判定をさらに正確に行うことができるようになる。
【００４４】
加えて、色決定アルゴリズムを踏まえた上で、第３表示要素４３によって表示される所定の情報と、コア層２１〜２９の端面２１ａ〜２９ａの色の配列とを比較することにより、個人情報表示体１０の真贋判定を更に正確に行うことができる。コア層２１〜２９の端面２１ａ〜２９ａの色は、拡大鏡などで拡大した上で観察してもよい。この結果として、この個人情報表示体１０は、より優れた偽造防止性を有することになる。
【００４５】
なお、第１から第３表示要素４１，４２，４３は、種々の既知の方法により、作製され得る。一例として、昇華熱転写印画法により、第１から第３表示要素４１，４２，４３を印刷層３０上に形成することができる。フルカラー画像により個人情報を表示する個人情報表示体１０では、イエロー・マゼンタ・シアン・黒の四色の色材、或いは、赤・緑・青・黒の四色の色材を、印刷層３０に熱転写することになる。
【００４６】
他の例として、第１から第３表示要素４１，４２，４３の少なくとも何れかを、レーザーエングレービング法により形成することができる。また、第２表示要素４２および第３表示要素４３が互いに異なる方法で形成されていてもよい。
【００４７】
以上のように本実施形態によれば、各コア層２１〜２９の端面２１ａ〜２９ａは、個人情報表示体１０が表示している所定の情報に基づいて、色決定アルゴリズムに従って決定された色に着色されている。これにより、色決定アルゴリズム、即ち色の決定方法を把握している発行者側は、色決定アルゴリズムを踏まえて、個人情報表示体１０に表示された個人情報を含む所定の情報と、コア層２１〜２９の端面２１ａ〜２９ａの色の配列とを比較することにより、個人情報表示体１０の真贋判定を容易に行うことができる。
【００４８】
一方、第３者は、色決定アルゴリズムが分からない限り、個人情報表示体１０に表示された所定の情報に応じた正しい色にコア層２１〜２９の端面２１ａ〜２９ａを着色することはできない。即ち、個人情報表示体１０の偽造は、極めて困難である。
【００４９】
したがって、本実施形態によれば、比較的に容易に製造され得る個人情報表示体１０に対して、極めて優れた偽造防止性を付与することができるとともに、この個人情報表示体１０を用いた所持者の認証やこの個人情報表示体１０の真贋判定を極めて容易且つ正確に行うことができる。
【００５０】
これらの効果に加え、コア層２１〜２９の端面２１ａ〜２９ａの色が個人情報表示体１０の製造年などの属性を表すようにした場合、コア層２１〜２９の端面２１ａ〜２９ａの色を確認するだけで製造年などの属性を把握できるので、個人情報表示体１０のロットを簡単に管理することもできる。
【００５１】
このような本実施形態の個人情報表示体１０に対して、従来の個人情報表示体では、基本的に白色の基材が用いられている。従って、従来の個人情報表示体の端面は白色として視認されるだけであり、即ちこの端面にはセキュリティ技術が適用されていない。
【００５２】
なお、図１に示された個人情報表示体１０は例示に過ぎない。例えば、第２表示要素４２および第３表示要素４３は、上述してきた例とは異なる個人情報を表示するようにしてもよい。さらに、第１〜第３表示要素４１，４２，４３に代えて或いは第１〜第３表示要素４１，４２，４３に加えて、他の表示要素を個人情報表示体１０に設けるようにしてもよい。
【００５３】
また、所定の情報が印刷された印刷層３０，３１を表示層として用いる一例について説明したが、表示層は印刷以外の方法によって所定の情報を表示する層でもよい。
【００５４】
（第２の実施形態）
第２の実施形態は、少なくとも１つのコア層が蛍光発光材料を含んでいる点が、第１の実施形態と異なる。コア層２１〜２９以外の構成は、図１の第１の実施形態と同一であるため、同一の要素に同一の符号を付して図示及び説明を省略する。
【００５５】
本実施形態では、コア層２１〜２９の端面２１ａ〜２９ａの色は、例えば白色である。そして、コア層２１〜２９のうちの少なくとも１つのコア層は、蛍光発光材料を含んでいる。
【００５６】
ここで蛍光発光材料とは、予め定められた波長領域内の紫外線等の不可視光を照射された場合に可視光を発光する性質を有した材料である。これにより、蛍光発光材料を含むコア層の端面の色は、予め定められた波長領域内の不可視光を照射された特別の条件下では、蛍光発光材料を含まない他のコア層の端面の色とは異なる色として視認される。
【００５７】
一方、可視光下では、コア層２１〜２９の端面２１ａ〜２９ａは白色として視認され、蛍光発光材料を含むコア層の存在を知得されないようにすることができる。
【００５８】
蛍光発光材料を含むコア層は、個人情報表示体１０に表示された個人情報を含む所定の情報に基づいて、予め定められたアルゴリズムに従って決定されている。第１の実施形態と同様に、所定の情報は、個人情報表示体１０の属性を表す属性情報を含んでいてもよい。
【００５９】
アルゴリズムとしては、個人情報表示体１０に表示された所定の情報に応じて蛍光発光材料を含むコア層を決定できれば、どのようなものを採用してもよく、第１の実施形態の色決定アルゴリズムに準じたものでもよい。
【００６０】
例えば、性別、生年月日等の個人情報に応じて蛍光発光材料を含むコア層を決定するアルゴリズムを採用してもよい。
【００６１】
この場合、例えば、性別が男性の場合、蛍光発光材料を含むコア層をあるコア層、例えば第１のコア層２１に決定し、一方、性別が女性の場合、蛍光発光材料を含むコア層を第１のコア層２１とは異なるコア層に決定してもよい。
【００６２】
また、例えば、個人情報表示体１０の発行年、発行場所等の属性情報に応じて蛍光発光材料を含むコア層を決定するアルゴリズムを採用してもよい。
【００６３】
以上のように本実施形態によれば、通常の可視光下では、コア層２１〜２９の端面２１ａ〜２９ａは既存の個人情報表示体と同様に単色に視認されるだけであり、蛍光発光材料を含むコア層の存在を知得され難いので、個人情報表示体１０の偽造防止性を格段に向上させることができる。
【００６４】
さらに、アルゴリズムを把握している発行者側は、アルゴリズムを踏まえて、個人情報表示体１０に表示された個人情報を含む所定の情報と、不可視光を照射されたときに端面が発光しているコア層とを比較することにより、個人情報表示体１０の真贋判定を容易に行うことができる。
【００６５】
一方、第３者は、不可視光を照射されたときに端面が発光することが分かったとしても、アルゴリズムが分からない限り、個人情報表示体１０に表示された所定の情報に応じた正しいコア層の端面を発光させることはできない。即ち、個人情報表示体１０の偽造は、極めて困難である。
【００６６】
なお、複数のコア層のうちの２以上のコア層が互いに異なる蛍光発光材料を含むようにして、これら蛍光発光材料を含む２以上のコア層の端面の色は、不可視光を照射されたとき複数の色として視認されるようにしてもよい。これにより、個人情報表示体１０の偽造防止性をさらに向上させることができる。
【００６７】
（第３の実施形態）
第３の実施形態は、少なくとも１つのコア層が蛍光発光材料に代えて赤外線吸収材料または赤外線反射材料を含んでいる点が、第２の実施形態と異なる。その他の構成は、第２の実施形態と同一であるため、説明を省略する。
【００６８】
本実施形態でも、コア層２１〜２９の端面２１ａ〜２９ａの色は、例えば白色である。そして、コア層２１〜２９のうちの少なくとも１つのコア層は、赤外線吸収材料または赤外線反射材料を含んでいる。
【００６９】
ここで赤外線吸収材料とは、予め定められた波長領域内の赤外線を照射された場合に赤外線を吸収する性質を有した材料であり、赤外線反射材料とは、予め定められた波長領域内の赤外線を照射された場合に赤外線を反射する性質を有した材料である。つまり、赤外線吸収材料または赤外線反射材料を含むコア層の端面は、赤外線を照射されたとき、赤外線を吸収または反射する。
【００７０】
これにより、赤外線を感知可能な赤外線カメラなどを用いて観察すると、赤外線吸収材料または赤外線反射材料を含むコア層の端面の色は、予め定められた波長領域内の赤外線を照射された特別の条件下では、赤外線吸収材料または赤外線反射材料を含まない他のコア層の端面の色とは異なる色として観察される。
【００７１】
一方、通常の可視光下では、コア層２１〜２９の端面２１ａ〜２９ａは白色として視認され、赤外線吸収材料または赤外線反射材料を含むコア層の存在を知得されないようにすることができる。
【００７２】
第２の実施形態と同様に、赤外線吸収材料または赤外線反射材料を含むコア層は、個人情報表示体１０に表示された個人情報を含む所定の情報に基づいて、予め定められたアルゴリズムに従って決定されている。
【００７３】
本実施形態によれば、第２の実施形態と同様の効果を得ることができる。
【００７４】
なお、第１から第３の実施形態のうちの少なくとも２つの実施形態を組み合わせてもよい。これにより、個人情報表示体１０の偽造防止性をさらに向上させることができる。
【００７５】
以上、本発明を図示する実施の形態に基づいて説明したが、本発明はこれらの実施形態に限定されるものではなく、この他にも種々の態様で実施可能である。
【符号の説明】
【００７６】
１０  個人情報表示体
２０  コア積層体
２１〜２９  コア層
３０，３１  印刷層（表示層）
３２，３３  オーバーシート層
４１   第１表示要素
４２   第２表示要素
４３   第３表示要素
【図１】
2014008731.tif 000003
【図２】
2014008731.tif 000004